(57)【特許請求の範囲】
【請求項１】
可動接触子を電磁力で移動させて、前記可動接触子が備える可動接点と、ハウジングに固定された固定接触子が備える固定接点とがなす接点を開閉する電磁接触器であって、
第１の方向では縁部に対して中央部が凹み、前記第１の方向と交差する第２の方向では、前記中央部と同じ高さの面が連続した形状であり、前記接点を覆う消弧カバーと、
前記可動接触子の端部に設置され、前記接点がオフの時は前記消弧カバーの前記中央部から突出し、かつ、前記接点がオンの時は前記消弧カバーの前記中央部に埋没して、前記接点の接触状態を表示する動作表示片とを有し、
前記消弧カバーの前記縁部と前記中央部との段差は、前記接点がオフの時に前記消弧カバーの前記中央部から前記動作表示片が突出する突出量以上であることを特徴とする電磁接触器。
【請求項２】
前記接点がオフの時に導通し、前記接点がオンの時に遮断される補助固定接点及び補助可動接点を有し、
前記接点がオフの時に前記動作表示片が前記消弧カバーの前記中央部から突出する突出量は、前記補助可動接点と前記補助固定接点とが接触し始めてから前記補助可動接点が前記補助固定接点を押し切る量であるオーバトラベル以下であることを特徴とする請求項１に記載の電磁接触器。
【請求項３】
前記接点がオフの時に前記動作表示片が前記消弧カバーの前記中央部から突出する突出量は、前記可動接点と前記固定接点との空隙以下であることを特徴とする請求項１に記載の電磁接触器。
【請求項４】
前記固定接触子に電線を接続するための端子を覆う端子カバーを備え、
前記端子カバーは、前記縁部と連続する端子カバー縁部と、前記中央部と連続する端子カバー中央部とを有する形状であることを特徴とする請求項１から３のいずれか１項に記載の電磁接触器。
【発明の詳細な説明】
【技術分野】
【０００１】
本発明は、操作コイルの励磁を停止することにより、復帰ばねの力で回路が切断され、負荷への電源供給を切断する電磁接触器に関する。
【背景技術】
【０００２】
特許文献１には、可動接触子支え又は可動接触子支えと連動する動作表示片の移動方向最外方端部の移動方向端面が可動接触子の開離位置で消弧カバーの外側の面と同一面に位置する電磁接触器が開示されている。特許文献１に開示される電磁接触器は、可動接触子の開離位置では電磁接触器外部から見えず、接触位置で露出して可視部となる消弧カバーの案内面に消弧カバーの地色とは異なる色を着色し、あるいは異なる色のガイド片を取り付けることで消弧カバーの外側の面から突出させないで動作状態を容易に判別することができる。特許文献１に開示される電磁接触器は、判別のために可動接触子支え又は動作表示片を電磁接触器本体のハウジングから突出させる必要がない。
【先行技術文献】
【特許文献】
【０００３】
【特許文献１】特開平７−１８２９５９号公報
【発明の概要】
【発明が解決しようとする課題】
【０００４】
しかしながら、上記特許文献１によれば可動接触子支えと連動する動作表示片の移動方向最外方端部の移動方向端面と消弧カバーの外側の面とが同一面に配置されているため、斜視状態でない限り動作表示片が確認できず、動作表示を確認できなかった。【０００５】
本発明は、上記に鑑みてなされたものであって、斜視しなくても動作状態を確認できる電磁接触器を得ることを目的とする。
【課題を解決するための手段】
【０００６】
上述した課題を解決し、目的を達成するために、本発明は、可動接触子を電磁力で移動させて、可動接触子が備える可動接点と、ハウジングに固定された固定接触子が備える固定接点とがなす接点をオンオフする電磁接触器である。本発明は、第１の方向では縁部に対して中央部が凹み、第１の方向と交差する第２の方向では、中央部と同じ高さの面が連続した形状であり、接点を覆う消弧カバーを有する。また、本発明は、可動接触子の端部に設置され、接点がオフの時は消弧カバーの中央部から突出し、かつ、接点がオンの時は消弧カバーの中央部に埋没して、接点の接触状態を表示する動作表示片とを有する。本発明において、消弧カバーの縁部と中央部との段差は、接点がオフの時に消弧カバーの中央部から動作表示片が突出する突出量以上である。
【発明の効果】
【０００７】
本発明に係る電磁接触器は、斜視しなくても動作状態を確認できるという効果を奏する。
【図面の簡単な説明】
【０００８】
【図１】本発明の実施の形態に係る電磁接触器の斜視図
【図２】実施の形態に係る電磁接触器の正面図
【図３】実施の形態に係る電磁接触器の左側面図
【図４】実施の形態に係る電磁接触器の右側面図
【図５】実施の形態に係る電磁接触器の上面図
【図６】実施の形態に係る電磁接触器の下面図
【図７】実施の形態に係る電磁接触器の断面図
【図８】実施の形態に係る電磁接触器の断面図
【図９】実施の形態に係る電磁接触器の断面図
【図１０】実施の形態に係る電磁接触器の部分拡大図
【図１１】実施の形態に係る電磁接触器の部分拡大図
【図１２】実施の形態に係る電磁接触器の部分拡大図
【図１３】実施の形態に係る電磁接触器の部分拡大図
【図１４】実施の形態に係る電磁接触器の部分拡大図
【発明を実施するための形態】
【０００９】
以下に、本発明の実施の形態に係る電磁接触器を図面に基づいて詳細に説明する。なお、この実施の形態によりこの発明が限定されるものではない。
【００１０】
実施の形態．
図１は、本発明の実施の形態に係る電磁接触器の斜視図である。図２は、実施の形態に係る電磁接触器の正面図である。図３は、実施の形態に係る電磁接触器の左側面図である。図４は、実施の形態に係る電磁接触器の右側面図である。図５は、実施の形態に係る電磁接触器の上面図である。図６は、実施の形態に係る電磁接触器の下面図である。図７は、実施の形態に係る電磁接触器の断面図であり、図２中のVII−VII断面を示す。図８は、実施の形態に係る電磁接触器の断面図であり、図２中のVIII−VIII断面を示す。図９は、実施の形態に係る電磁接触器の断面図であり、図２中のIX−IX断面を示す。図１０は、実施の形態に係る電磁接触器の部分拡大図であり、図６中のＡ部を示す。図１１は、実施の形態に係る電磁接触器の部分拡大図であり、図８中のＢ部を示す。図１２は、実施の形態に係る電磁接触器の部分拡大図であり、図７中のＣ部を示す。図１３は、実施の形態に係る電磁接触器の部分拡大図であり、図９中のＤ部を示す。図１４は、実施の形態に係る電磁接触器の部分拡大図であり、図２中のＥ部を示す。
【００１１】
図１から図９に示すように、電磁接触器１０は、リアケース１６内に可動可能に収容された可動鉄心３３及びリアケース１６に固定されて、操作コイル３１が励磁されると可動鉄心３３を磁力で吸引する固定鉄心３２を備えた電磁石部１８と、負荷電流を入切するための固定接点１、可動接点２及び復帰ばね３４を備えた開閉部１９とを有している。可動鉄心３３には、可動接触子４を支持する可動接触子支え３が連結されている。可動接触子４は、可動接点２を備えている。ハウジング５には、固定接点１を備えた固定接触子６が組み込まれている。固定接点１と可動接点２とは、対となって一つの接点を形成している。固定接触子６は、端子ねじ１４によって電線を接続するための端子１１を備えている。端子１１は、端子カバー８によって覆われている。
【００１２】
消弧カバー７は、図１に矢印Ａで示す第１の方向では縁部７ａに対して中央部７ｂが凹み、第１の方向と交差する図１に矢印Ｂで示す第２の方向では、中央部７ｂと同じ高さの面が連続して段差底面１３となった形状である。なお、実施の形態において、矢印Ａで示す第１の方向と、矢印Ｂで示す第２の方向は直交している。消弧カバー７は、固定接点１及び可動接点２を覆う消弧機構を備えている。消弧カバー７は、角穴１５が設けられている。
【００１３】
端子カバー８は、縁部７ａと連続する端子カバー縁部８ａと、中央部７ｂと連続する端子カバー中央部８ｂとを有する形状である。
【００１４】
端子カバー８は、縁部７ａと連続する端子カバー縁部８ａと、中央部７ｂと連続する端子カバー中央部８ｂとを有する形状であるため、製品側部では、縁部７ａと中央部７ｂとの間の段差１７と、端子カバー縁部８ａと端子カバー中央部８ｂとの間の段差２２が繋がっている。
【００１５】
図７に示す操作コイル３１が無励磁のときは、復帰ばね３４により固定接点１と可動接点２とが開離しており、電磁接触器１０は電流が流れないオフ状態となっている。なお、図１から図１４には、オフ状態の電磁接触器１０の構成を示している。
【００１６】
操作コイル３１を励磁すると、可動鉄心３３が固定鉄心３２に吸引され、可動鉄心３３の動きに連動して可動接点２が固定接点１に接触して回路を閉じる動作をし、電磁接触器１０は電流が流れるオン状態になる。操作コイル３１の励磁を解除すると、復帰ばね３４により可動鉄心３３が固定鉄心３２から解放され、可動接点２が固定接点１から開離して負荷電流が遮断され、電磁接触器１０はオフ状態に戻る。
【００１７】
図９に示すように、開閉部１９は、オフ状態の時に導通し、オン状態の時に遮断される補助固定接点２０ａ及び補助可動接点２１ａと、オフ状態の時に遮断され、オン状態のときに導通する補助固定接点２０ｂ及び補助可動接点２１ｂとを備える。
【００１８】
電磁接触器１０がオフ状態のときは、可動接触子支え３の先端部９は、消弧カバー７の角穴１５を通じて段差底面１３から突出している。オフ状態の電磁接触器１０は、両側面及び底面以外の方向には可動接触子支え３の先端部９と対向する他の構成部品が位置しないため、上面側及び下面側から電磁接触器１０のオフ状態を容易に識別できる。すなわち、図５及び図６での視点方向から電磁接触器１０のオフ状態を容易に識別できる。
【００１９】
また、電磁接触器１０がオン状態のときは、可動接触子支え３の先端部９が消弧カバー７内に引き込まれるため、先端部９が見えなくなることで電磁接触器１０がオン状態にあることを上面側及び下面側から容易に識別でき、電磁接触器１０の動作状態の確認が容易である。
【００２０】
なお、可動接触子支え３の先端部９が段差底面１３から突出していると、正面視した場合には、可動接触子支え３の先端部９の周囲に影が現れる。これに対し、可動接触子支え３の先端部９が段差底面１３に埋没していると、可動接触子支え３の周囲に影が現れない。したがって、電磁接触器１０の動作状態は、正面側からも容易に確認できる。
【００２１】
すなわち、電磁接触器１０は、斜視しなくても、正面側、上面側及び下面側から動作状態を確認できる。
【００２２】
このように、可動接触子支え３は、電磁接触器１０がオフ状態で接点がオフの時は段差底面１３から突出し、かつ、電磁接触器１０がオン状態で接点がオンの時は段差底面１３に埋没して、固定接点１及び可動接点２の状態を表示する動作表示片となる。
【００２３】
図１０及び図１１に示すように、電磁接触器１０がオフ状態の時の可動接触子支え３の先端部９の突出量Ｌ１は、可動接触子支え３の先端部９から離れた製品側部にある段差１７の大きさＬ２以下である。すなわち、消弧カバー７の縁部７ａと中央部７ｂとの段差１７は、可動接触子支え３の先端部９が、電磁接触器１０がオフ状態の時に段差底面１３から突出する突出量Ｌ１以上である。
【００２４】
また、消弧カバー７の段差底面１３からの可動接触子支え３の先端部９の突出量Ｌ１と、図１２に示す固定接点１と可動接点２との空隙の大きさＬ３と、図１３に示す補助固定接点２０ｂと補助可動接点２１ｂとの空隙の大きさＬ４と、図１３に示す補助可動接点２１ａが補助固定接点２０ａに接触してから補助固定接点２０ａを押し切るまでの可動接触子４の移動量である接点オーバトラベルの大きさＬ５とは、以下の式（１）に示す寸法関係が成り立つ。なお、図１３に示すように、接点オーバトラベルは、補助可動接点２１ａが補助固定接点２０ａに接触してから可動接触子支え３に当接するまでの可動接触子４の移動量と換言することができる。
【００２５】
Ｌ１＜Ｌ５≦Ｌ３＝Ｌ４  ・・・（１）
【００２６】
接点オーバトラベルが不足すると、補助可動接点２１ａが補助固定接点２０ａに接触してから補助固定接点２０ａを押し切るまでの可動接触子４の移動量で決まる補助固定接点２０ａへの圧力が低下し、通電される電流により発生する電磁反発力を抑え込む力がなく、また、外来振動により接点が浮き上がるチャタリングも発生しやすくなる。それにより、接点誤動作並びに接点浮き上がりにより補助固定接点２０ａと補助可動接点２１ａとの間にアークが発生することによる接点異常消耗及び接点溶着が起きやすく、電磁接触器１０の機能損失を招く。同様に可動接点２と固定接点１とが容易に接触してしまうと、上記と同じ現象が発生する。
【００２７】
図１に示したように、端子カバー８にも段差２２を設けることで、端子カバー中央部８ｂを段差底面１３と同じ面内に配置できる。これにより、段差底面１３と端子カバー中央部８ｂとを連続面とみなすことができる。したがって、段差底面１３と端子カバー８とに跨がって情報を印字したり、段差底面１３から端子カバー中央部８ｂにはみ出す大きさのオプションユニットを段差底面１３に配置することができる。
【００２８】
さらに、角穴１５以上で段差底面１３の範囲以下の大きさの物体であれば、機械的な可動接触子支え３の押し込みが容易であり、かつ、可動接点２と固定接点１との接触がなく、接点オーバトラベルもなくならないため、可動接触子支え３の動きを安全に確認できることで、保守が容易となる。
【００２９】
また、図１４に示すように、可動接触子支え３の先端部９が突出する角穴１５の対角線寸法Ｌ６は、人の指の大きさよりも小さくなっている。角穴１５は、対角線寸法を１２．５ｍｍ以下とすることで、外部固形物に対する保護の程度は、ＩＥＣ（International  Electrotechnical  Commission）とも称される国際電機標準会議の規格であるＩＥＣ６０５２９の保護等級２級相当となる。角穴１５に人の指を入れられないようにすることで、手動投入により可動接触子支え３の押し込める量を制限し、接点接触及び接点オーバトラベルの不足による電磁接触器１０の誤動作を回避することができる。
【００３０】
以上のように実施の形態に係る電磁接触器１０は、製品正面部に制御盤が配置される場合でも、製品側部にある段差上面に制御盤が当接するため、可動接触子支え３の先端部９が当接することなく、電磁接触器１０のオフ状態を維持するため、電磁接触器１０の機能を損なうことがない。このため、可動接触子支え３の先端部９と制御盤との間に隙間を設ける必要がなく、電磁接触器１０を使用する制御盤の小型化を実現できる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１  固定接点、２  可動接点、３  可動接触子支え、４  可動接触子、５  ハウジング、６  固定接触子、７  消弧カバー、７ａ  縁部、７ｂ  中央部、８  端子カバー、８ａ  端子カバー縁部、８ｂ  端子カバー中央部、９  先端部、１０  電磁接触器、１１  端子、１３  段差底面、１４  端子ねじ、１５  角穴、１６  リアケース、１７，２２  段差、１８  電磁石部、１９  開閉部、２０ａ，２０ｂ  補助固定接点、２１ａ，２１ｂ  補助可動接点、３１  操作コイル、３２  固定鉄心、３３  可動鉄心、３４  復帰ばね。
【要約】
可動接触子を電磁力で移動させて、可動接触子が備える可動接点と、ハウジング（５）に固定された固定接触子が備える固定接点とがなす接点を開閉する電磁接触器（１０）であって、第１の方向では縁部（７ａ）に対して中央部（７ｂ）が凹み、第１の方向と交差する第２の方向では、中央部（７ｂ）と同じ高さの面が連続して段差底面（１３）をなした形状であり、接点を覆う消弧カバー（７）と、可動接触子の端部に設置され、接点がオフの時は段差底面（１３）から突出し、かつ、接点がオンの時は段差底面（１３）に埋没して、接点の接触状態を表示する先端部（９）とを有し、消弧カバー（７）の縁部（７ａ）と中央部（７ｂ）との段差は、接点がオフの時に消弧カバー（７）の中央部（７ｂ）から先端部（９）が突出する突出量以上である。【図１】
0006045763.tif 000002
【図２】
0006045763.tif 000003
【図３】
0006045763.tif 000004
【図４】
0006045763.tif 000005
【図５】
0006045763.tif 000006
【図６】
0006045763.tif 000007
【図７】
0006045763.tif 000008
【図８】
0006045763.tif 000009
【図９】
0006045763.tif 000010
【図１０】
0006045763.tif 000011
【図１１】
0006045763.tif 000012
【図１２】
0006045763.tif 000013
【図１３】
0006045763.tif 000014
【図１４】
0006045763.tif 000015